(57)【特許請求の範囲】
【請求項１】
隣り合う壁パネルを連結する支柱の上端部に上ブロックが取り付けられた浴室構造であって、前記各壁パネルは、浴室壁面を構成する表面板と、この表面板の上縁から室外側に突出した上縁片とを備え、前記上ブロックの上面部は、押さえ部と、この押さえ部の両側に位置する廻縁載置部を備え、前記各廻縁載置部の上面は対応する前記壁パネルの上縁片の上面と面一となり、前記押さえ部の下面が前記各廻縁載置部の上面と同レベルに位置し、前記両壁パネルの間に挿入された目地材の室外側部分の上端面が前記押さえ部の下方に位置して、この押さえ部により前記目地材の室外側部分が上方に移動することが規制され、前記上ブロックの上面部における前記両廻縁載置部の間に前記押さえ部の室内側に位置する切欠部が形成され、前記目地材の室内側部分の上端面が前記切欠部を介して上方に露出し、前記壁パネル上に設けられた天井パネルと前記壁パネルの上縁片との間に圧入された廻縁が前記両廻縁載置部上に跨って配置され、この廻縁の一部が前記目地材の室内側部分の上に配置されることで、この廻縁の一部により前記目地材の室内側部分が上方に移動することが規制されることを特徴とする浴室構造。
【発明の詳細な説明】
【技術分野】
【０００１】
本発明は隣り合う壁パネルの間に目地材が挿入される浴室構造に関する。
【背景技術】
【０００２】
例えば特許文献１には、支柱ジョイナーで連結された隣り合う壁パネルの間に目地材が設けられた浴室構造が開示されている。
【先行技術文献】
【特許文献】
【０００３】
【特許文献１】特開２００５−９２３０号公報
【発明の概要】
【発明が解決しようとする課題】
【０００４】
ところで、前記隣り合う壁パネルの間に設けられた目地材は、施工時及び施工後のいずれにおいても壁パネルの上面よりも浮き上がる可能性があり、このように目地材が浮き上がると外観や止水性が害される恐れがある。これを防止するには、目地材の上方にバックアップ材を設け、当該バックアップ材により目地材の上方への移動を規制することが考えられる。しかし、別途バックアップ材を設けることは、部品点数やコストの増加を招き、また、施工が煩雑になることも懸念される。
【０００５】
本発明は上記事情に鑑みてなされたものであって、別途バックアップ材等を設けることなく目地材の浮き上がりを防止できる浴室構造を提供することを課題とする。
【課題を解決するための手段】
【０００６】
上記課題を解決するために本発明の浴室構造は、隣り合う壁パネルを連結する支柱の上端部に上ブロックが取り付けられた浴室構造であって、前記各壁パネルは、浴室壁面を構成する表面板と、この表面板の上縁から室外側に突出した上縁片とを備え、前記上ブロックの上面部は、押さえ部と、この押さえ部の両側に位置する廻縁載置部を備え、前記各廻縁載置部の上面は対応する前記壁パネルの上縁片の上面と面一となり、前記押さえ部の下面が前記各廻縁載置部の上面と同レベルに位置し、前記両壁パネルの間に挿入された目地材の室外側部分の上端面が前記押さえ部の下方に位置して、この押さえ部により前記目地材の室外側部分が上方に移動することが規制され、前記上ブロックの上面部における前記両廻縁載置部の間に前記押さえ部の室内側に位置する切欠部が形成され、前記目地材の室内側部分の上端面が前記切欠部を介して上方に露出し、前記壁パネル上に設けられた天井パネルと前記壁パネルの上縁片との間に圧入された廻縁が前記両廻縁載置部上に跨って配置され、この廻縁の一部が前記目地材の室内側部分の上に配置されることで、この廻縁の一部により前記目地材の室内側部分が上方に移動することが規制されることを特徴とする。
【発明の効果】
【０００７】
本発明にあっては、別途バックアップ材等を設けることなく目地材の浮き上がりを防止できる。
【図面の簡単な説明】
【０００８】
【図１】本実施形態の天井パネルや廻縁の図示を省略した隅上ブロック及びその近傍を示す斜視図である。
【図２】天井パネルや廻縁の図示を省略したユニットバスルームの破断斜視図である。
【図３】下ブロック及びその近傍を示す斜視図である。
【図４】パネル掛止具を取り付けた壁パネルの斜視図である。
【図５】パネル掛止具及びその近傍を示す鉛直断面図である。
【図６】隅支柱の下部における壁パネルの連結構造を示す水平断面図である。
【図７】隅上ブロックの斜視図である。
【図８】隅上ブロックの底面図である。
【図９】中間上ブロックの斜視図である。
【図１０】隅支柱の上部における壁パネルの連結構造を示す水平断面図である。
【図１１】中間支柱の上部における壁パネルの連結構造を示す水平断面図である。
【図１２】天井パネルや廻縁の図示を省略した中間上ブロック及びその近傍を示す斜視図である。
【図１３】壁パネルと天井パネルの連結構造を示す鉛直断面図である。
【発明を実施するための形態】
【０００９】
以下、本発明を添付図面に基づいて説明する。本実施形態の浴室構造は住宅やマンション等に設けられるユニットバスルームに適用されたものである。このユニットバスルームは、図２に示すように、床パン１と、床パン１の外周縁部上に建て込まれた複数の壁パネル２と、壁パネル２上に設けられた複数の天井パネル３（図１３参照）を具備している。
【００１０】
浴室底部を構成する床パン１は、合成樹脂製であって、浴槽部４と洗い場部５とが一体に形成された浴槽一体型床パンである。図３に示すように、床パン１の外周縁部には上方に突出する立上片部１３が形成されている。
【００１１】
図２のように、壁パネル２は浴槽部４と洗い場部５のいずれにも建て込まれている。各壁パネル２は、浴室壁面を構成する金属製で略縦長矩形状の表面板６を備えている。図４に示すように表面板６の下縁には室外側に突出して壁パネル２の下端面を構成する下縁片８が形成され、下縁片８の後縁部には上方に突出する下突片１０が形成されている。
【００１２】
各壁パネル２の下突片１０には、下方に開口する掛止溝部１２を有するパネル掛止具１１が壁パネル２の幅方向に複数取り付けられている。図５に示すように、各パネル掛止具１１の掛止溝部１２には床パン１の立上片部１３が差し込まれて係止されており、この状態で、各壁パネル２はパネル掛止具１１と共にパッキン１８を介して床パン１の外周縁部上に載置されている。
【００１３】
図３のように、床パン１の外周縁部には、後述の各支柱１４を支持する下ブロック１５が取り付けられている。各下ブロック１５は、大略ブロック状の支柱載置部２７と、支柱載置部２７の室外側端部から下方に突出した被引掛部１７を有している。支柱載置部２７の室内側部分は下方に突出しており、該突出部分と被引掛部１７の間には下方に開口する差込溝１６が形成されている。差込溝１６には床パン１の立上片部１３が差し込まれ、被引掛部１７は床パン１の外縁部の下面に引っ掛けられ、この状態で各下ブロック１５は前記パッキン１８を介して床パン１の外周部上に載置されている。
【００１４】
各下ブロック１５は、例えば図６のように支柱載置部２７から上方に突出した内嵌部２４と、同支柱載置部２７から上方に突出して内嵌部２４の外側に位置する外嵌部２５を有している。
【００１５】
各下ブロック１５に支持される支柱１４はステンレスなどの金属製であって、両側の壁パネル２を連結している。支柱１４には、図１１に示すように平面視で直線状に並んで隣り合う壁パネル２同士を連結するための中間支柱３１と、図１０に示すように平面視で直角になるように並ぶ壁パネル２同士を連結するための隅支柱３２とがある。なお、中間支柱３１と隅支柱３２は共通点が多いため、以下では共通する構成につき、中間支柱３１及び隅支柱３２を共に支柱１４と記載して説明する。
【００１６】
図１０及び図１１に示すように、各支柱１４は水平断面が室内側に開口する溝形に形成されている。図６のように各支柱１４の下端部には、内側に下ブロック１５の内嵌部２４が嵌め込まれると共に、外側に下ブロック１５の外嵌部２５が嵌め込まれており、この状態で各支柱１４は下ブロック１５の支柱載置部２７上に載置されている。
【００１７】
図１０及び図１１に示すように、各支柱１４の両側の室内側縁部には、水平断面略Ｖ字状の係止部２０が形成されている。各係止部２０は、支柱１４の側板部２１から支柱１４の幅方向内側に向けて突出する突片部２２と、突片部２２の突端を室外側において折り返して形成された折返部２３とで構成されている。
【００１８】
各壁パネル２の表面板６の両側縁部には、室外側に突出する側縁片部２６が形成されている。各側縁片部２６には壁パネル２の幅方向内側に向かって突出する被係止部２８が形成されている。被係止部２８は側縁片部２６の突端を壁パネル２の幅方向内側において折り返した折返片部で構成されており、この被係止部２８は水平断面で壁パネル２の幅方向内側に向かって突出したＶ字状に形成されている。
【００１９】
各壁パネル２の両側の被係止部２８は対応する支柱１４に室内側から挿入され、対応する係止部２０の室外側に係止され、これにより各壁パネル２は支柱１４の幅方向外側への移動及び室内外方向の移動が規制されている。
【００２０】
各支柱１４の上端部には、図１及び図１２のように支柱１４両側の壁パネル２の上方への移動を規制する合成樹脂製の上ブロック２９が取り付けられている。なお、上ブロック２９は、図７のように単一の成形品で構成してもよいし、図９のように一方の壁パネル２側の半部を構成する一側ブロック体３５と、他方の壁パネル２側の半部を構成する他側ブロック体３６の二部材を組み合わせて構成してもよい。
【００２１】
上ブロック２９には、中間支柱３１に取り付けられる図９に示す中間上ブロック３３と、隅支柱３２に取り付けられる図７に示す隅上ブロック３４とがある。なお、中間上ブロック３３と隅上ブロック３４は共通点が多いため、以下では共通する構成につき、中間上ブロック３３及び隅上ブロック３４を共に上ブロック２９と記載して説明する。
【００２２】
各上ブロック２９は、対応する支柱１４の溝幅方向を左右方向としたとき、図７及び図９に示すように、左右対称に形成されている。各上ブロック２９は、上面部を構成する覆部３８と、覆部３８から下方に突出した内嵌込部３７と、同覆部３８から下方に突出して内嵌込部３７の外側に位置する外嵌込部３９を有している。なお、中間上ブロック３３の外嵌込部３９は覆部３８の両側に形成した側壁部６７で構成され、隅上ブロック３４の外嵌込部３９は両側に形成した側壁部６７と両側壁部６７の室外側端部同士を接続する後壁部６８で構成されている。
【００２３】
図１０及び図１１に示すように、各上ブロック２９は、内嵌込部３７が支柱１４の上端部の内側に嵌め込まれ、外嵌込部３９が支柱１４の外側に嵌め込まれ、これにより対応する支柱１４に固定されている。このように支柱１４に取り付けられた上ブロック２９は、内嵌込部３７が支柱１４内に挿入された両被係止部２８の室外側に位置し、被係止部２８の水平方向の移動を規制する。また、覆部３８は対応する支柱１４の上方に位置して当該支柱１４の上端開口の室内側中央部を除く全部を覆う。
【００２４】
図７及び図８のように、隅上ブロック３４の外嵌込部３９の下端の内縁部には、下方程外側に位置するように傾斜したガイド面６９が形成されている。このため、外嵌込部３９を隅支柱３２の外側に上方から嵌め込む際には、ガイド面６９により外嵌込部３９及び内嵌込部３７が隅支柱３２に嵌まり込むよう隅上ブロック３４をガイドできるようになっている。また、各上ブロック２９の覆部３８の下面は、両側の壁パネル２の被係止部２８上に当接しており、これにより、支柱１４に連結された両壁パネル２の上方への移動が規制されている。
【００２５】
図１０及び図１１に示すように、各支柱１４には、両側の壁パネル２の対向する側縁片部２６の間から縦に長い乾式の目地材５４が挿入されている。各目地材５４は、支柱１４に挿入される帯板状の挿入片部５５と、挿入片部５５の両面から突出したひれ片部５６と、挿入片部５５の室内側端部から両外側に向けて突出した当片部７４で構成されている。
【００２６】
各目地材５４は、挿入片部５５のひれ片部５６が設けられた室内側部分が両側の側縁片部２６の間に圧入され、また、各当片部７４が対応する壁パネル２の表面板６の室内側の面に当接している。これにより両側の側縁片部２６の間から支柱１４内に浴室内の水が浸入することが防止されている。また、目地材５４により、両側の壁パネル２が離れる方向に付勢され、これにより両側の被係止部２８が支柱１４の係止部２０から外れることが防止されている。なお、目地材５４の下端は前記パッキン１８に近接している。なお、「近接」とは、当接又は近傍に位置することを意味する。
【００２７】
図７及び図８に示すように、隅上ブロック３４の隅支柱３２幅方向における中央部には、室内側及び下方に開口する挿入溝７３が形成されている。挿入溝７３は内嵌込部３７を室内外方向に貫いて形成されており、挿入溝７３には、図１０のように隅支柱３２に挿入された目地材５４（以下、隅目地材７１と記載する）の室外側部分の上端部が挿入されている。
【００２８】
図７及び図８に示すように、隅上ブロック３４の覆部３８は、挿入溝７３の室外側部分の上方を閉塞する押さえ部７２を有している。押さえ部７２の下面には隅目地材７１の室外側部分の上端面が近接し、これにより隅目地材７１が上方に移動することが規制されている。
【００２９】
図１３に示すように、各天井パネル３は対応する壁パネル２の上端部に取り付けられている。各天井パネル３は浴室天井面を構成する金属製の面板５７を備えており、面板５７の外縁には下方に突出する垂片５９が形成されている。
【００３０】
各壁パネル２の表面板６の上縁には、室外側に突出して壁パネル２の上端面を構成する上縁片４４が形成されている。図１や図１２に示すように、上縁片４４は表面板６上縁の両端部には形成されておらず、上縁片４４の壁パネル２幅方向における両側には切欠部５０が形成されている。上縁片４４の後縁には上方に突出するパネル上突片４５が形成されている。
【００３１】
図１３に示すように、各天井パネル３は、垂片５９をパネル上突片４５の室外側の面に沿わせ、ビス６０をパネル上突片４５に通して垂片５９に固着することにより、対応する壁パネル２に取り付けられる。
【００３２】
各壁パネル２の上縁片４４とこの上方に配置された天井パネル３の面板５７の外周縁部の間には廻縁６１が設けられている。廻縁６１は、側断面矩形状で中空の挿入部６２と、挿入部６２の上面部を室外側に延ばした突出片部６３と、挿入部６２の室内側の面部を下方に延ばした沿片部６４を有している。
【００３３】
廻縁６１は、挿入部６２を上縁片４４と面板５７の間に圧入することで固定されている。この固定状態では、突出片部６３の先端面がパネル上突片４５の室内側の面に当接すると共に、沿片部６４の室外側の面は表面板６に沿って当接し、これにより廻縁６１が所定位置よりも室外側に押し込まれることが防止されている。
【００３４】
図１及び図１２に示すように、各上ブロック２９の覆部３８の室内側半部の両側は廻縁載置部４９となっており、各廻縁載置部４９は対応する壁パネル２の切欠部５０に配置されている。各廻縁載置部４９の上面は対応する壁パネル２の上縁片４４の上面と面一となっており、図示は省略するが、この面には廻縁６１の挿入部６２が載置されている。
【００３５】
図７に示すように隅上ブロック３４は、各廻縁載置部４９の上面が押さえ部７２の下面と同レベルに位置している。また、隅上ブロック３４の覆部３８の室内側中央部には、両廻縁載置部４９の間に位置する切欠部７５が形成されている。
【００３６】
図１に示すように、隅目地材７１の室内側部分の上端面は切欠部７５を介して上方に露出しており、この露出面７７は両側の廻縁載置部４９の上面と面一になっている。図示は省略するが、露出面７７上には、両側の廻縁載置部４９上に跨って配置される廻縁６１の一部が配置され、これにより廻縁６１で切欠部７５が覆われるようになっている。また、この廻縁６１の一部により、隅目地材７１の室内側部分が上方に移動することが規制されている。
【００３７】
図１及び図１２に示すように、各上ブロック２９の両側の廻縁載置部４９の室外側端部には上方に突出する当接部４７が形成されている。各当接部４７の室内側の面は、対応する壁パネル２のパネル上突片４５の室内側の面と面一の廻縁当接面６５となっており、廻縁当接面６５には廻縁６１の突出片部６３の先端面が当接している。また、隅上ブロック３４にあっては、両側の当接部４７が覆部３８の押さえ部７２を含めた部分から上方に突出した接続片部７６で接続してあり、当接部４７の補強がなされている。
【００３８】
以上説明した本実施形態の浴室構造では、図１に示すように、両側の壁パネル２の間に挿入された隅目地材７１が上方に移動することを規制する押さえ部７２が隅上ブロック３４に形成されている。このため、壁パネル２の上方への移動を規制する隅上ブロック３４を利用して、隅目地材７１の浮き上がりを防止できる。この場合、別途バックアップ材等を設ける必要がないため、部品点数やコストの増加を抑えることができ、また、施工の煩雑化を招くこともない。
【００３９】
なお、本実施形態では、押さえ部７２を隅上ブロック３４に形成したが、同様の押さえ部７２を中間上ブロック３３に形成してもよい。また、この他、本発明の趣旨を逸脱しない範囲で適宜設計変更可能である。
【符号の説明】
【００４０】
２  壁パネル
１４  支柱
２９  上ブロック
５４  目地材
７２  押さえ部
【図１】
0005740571.tif 000002
【図２】
0005740571.tif 000003
【図３】
0005740571.tif 000004
【図４】
0005740571.tif 000005
【図５】
0005740571.tif 000006
【図６】
0005740571.tif 000007
【図７】
0005740571.tif 000008
【図８】
0005740571.tif 000009
【図９】
0005740571.tif 000010
【図１０】
0005740571.tif 000011
【図１１】
0005740571.tif 000012
【図１２】
0005740571.tif 000013
【図１３】
0005740571.tif 000014